(57)【特許請求の範囲】
【請求項１】
横架材に懸架された一対のＴバーの間に取付けられる照明器具であって、
前記Ｔバーの下端水平片から前記横架材の下端までの高さより低い器具本体と、この器具本体の上面の長手方向に移動可能に取付けられた取付具と、この取付具の両端に有して前記器具本体の下端が前記下端水平片より上方に位置するように前記Ｔバーの上端に係止した一対の係止具とを備え、前記係止具の少なくとも一方はつまみねじにより前記取付具に固定され、前記つまみねじを緩めてつまみねじを中心に回動することにより、前記取付具の前記一方の係止具が前記器具本体の幅方向の中心側に後退可能とした照明器具。
【請求項２】
天井躯体に懸吊された横架材を有し、この横架材に懸架された一対のＴバーを有する天井と、
前記Ｔバーの下端水平片から前記横架材の下端までの高さより低く、前記一対のＴバーの間隔よりも狭い幅の機器本体を有し、この機器本体の上面の長手方向に移動可能に取付けられた取付具を有し、この取付具の両端に設けられて前記機器本体の下端が前記下端水平片より上方に位置するように前記Ｔバーの上端に係止した一対の係止具を有し、前記係止具の少なくとも一方はつまみねじにより前記取付具に固定され、前記つまみねじを緩めてつまみねじを中心に回動することにより、前記取付具の前記一方の係止具が前記機器本体の幅方向の中心側に後退可能とした設備機器とを備えた機器取付構造。
【請求項３】
前記Ｔバーは、前記横架材に高さ調整機構を介して懸架されている請求項２記載の機器取付構造。
【発明の詳細な説明】
【０００１】
【発明の属する技術分野】
この発明は、照明器具および照明器具を含む設備機器の機器取付構造に関するものである。
【０００２】
【従来の技術】
従来のシステム天井では、図１３および図１４に示すように、天井躯体（図示せず）にインサートボルトを介してＣチャンネル５０を吊り、Ｃチャンネル５０に一対のＴバー５１，５２を懸架し、Ｔバー５１，５２の間に照明器具５３を矢印のようにＴバー５１，５２の上側から落とし込み、Ｔバー５１，５２の下端水平片５４に係載していた。
【０００３】
そのため、インサートボルトおよびＣチャンネル５０の間隔幅１３００〜１４００ｍｍにし、照明器具５３の長さ１２５０〜１３５０ｍｍにして、Ｃチャンネル５０の間隔幅を照明器具５３の長さよりも長くして、図１４に示す矢印のように照明器具５３を落とし込む際に照明器具５３が天井構成部材の邪魔にならないようにしていた。なお、照明器具５３を一対のＴバー５１，５２の間に確実に係載するために、Ｔバー５１，５２間の寸法は可能な限り詰められており、照明器具５３は床側からは設置し難い。
【０００４】
【発明が解決しようとする課題】
ところで最近、在来の天井を撤去してシステム天井へ改築する傾向があるなかで、施工時間の短縮による工期短縮、および新規にインサートボルトを打つことによる騒音対策のため、さらに躯体下面に岩綿が吹き付けてあるので新規にインサートを打つのが困難なため、在来の天井のインサートボルトを再利用するニーズが生じている。
【０００５】
しかし、在来の天井は、在来の一般工法に基づく９００ｍｍピッチのインサートボルトを施してあるため、Ｃチャンネルの間隔が９００ｍｍとなり照明器具５３をＴバー５１，５２の上から落とし込むことができなくなる。
このため、在来の天井のインサートボルトを再利用した場合においても照明器具５３を施工できるようにすることが必要となる。
【０００６】
なお、Ｔバーの下方より照明器具を挿入するようにしたものとして、たとえば実公昭63-31295号や実開昭63-37015号があったが、いずれも器具本体がＴバーの下端水平片からＣチャンネルまでの高さ以上の高さを有し、器具本体の側面に設けた係止部材をＴバーの上端部に係止しており、Ｃチャンネルを回避することが考慮されていないので、在来の天井のインサートボルトを再利用して吊り下げた９００ｍｍ間隔のＣチャンネルの直下に照明器具を配置する場合等には適用することができなかった。
【０００７】
また在来の天井においても、最近天井の改装が増加するなかで、従来の露出照明のかわりに埋込照明を採用したいというニーズが増えてきた。しかし、図１５に示すように、埋込照明器具６５を設置する場合、照明器具６５を吊るためのボルトを用いたインサート６１を新規に天井躯体６２に打たねばならなかった。また改装の場合には、前記したように躯体下面に岩綿が吹き付けてあったり、既にダクトが設置済であったりして、インサート打ちが困難もしくは不可能である場合が多い。６０はチャンネル、６３はＭバー、６４は天井材である。
【０００８】
そのため、インサート打ち無しで埋込照明器具を施工できるようにすることが必要になる。
したがって、この発明の目的は、新規にインサート打ちすることなく、またチャンネルに支障なく照明器具をＴバーの下側から挿入し係止することができる照明器具および機器取付構造を提供することである。
【０００９】
【課題を解決するための手段】
請求項１記載の照明器具は、横架材に懸架された一対のＴバーの間に取付けられる照明器具であって、
前記Ｔバーの下端水平片から前記横架材の下端までの高さより低い器具本体と、この器具本体の上面の長手方向に移動可能に取付けられた取付具と、この取付具の両端に有して前記器具本体の下端が前記下端水平片より上方に位置するように前記Ｔバーの上端に係止した一対の係止具とを備え、前記係止具の少なくとも一方はつまみねじにより前記取付具に固定され、前記つまみねじを緩めてつまみねじを中心に回動することにより、前記取付具の前記一方の係止具が前記器具本体の幅方向の中心側に後退可能としたものである。
【００１０】
請求項１記載の照明器具によれば、取付具の一端を器具本体の幅方向の中心側に後退して、器具本体をＴバーの間に床側から挿入して取付具の他端をＴバーの上端部に係止し、後退させた取付具の一端を器具本体の外方に再度進出してＴバーの上端部に係止することにより、取付具がＴバーの邪魔にならずに、照明器具を一対のＴバー間に取付けることができ、しかも器具本体の高さがＴバーの下端水平片から横架材の下端までの高さよりも低く、しかも取付具を長手方向に移動可能にしているので、横架材の下側であっても取付けることができ、従来のように横架材の間隔による制限を受けることがない。また改築の際に一般在来建築構造の９００ｍｍピッチのインサートボルトを再利用することができるので、改築の際の工期の短縮や新規にインサートボルトを打つことによる騒音対策が図れる。さらに照明器具の取付位置を任意に設定することができるので、横架材を支持するインサートボルトの取付ピッチを任意に設定しても、平行な一対のＴバーの間に設定される照明器具のライン化が容易に確保できる。
【００１１】
請求項２記載の機器取付構造は、天井躯体に懸吊された横架材を有し、この横架材に懸架された一対のＴバーを有する天井と、
前記Ｔバーの下端水平片から前記横架材の下端までの高さより低く、前記一対のＴバーの間隔よりも狭い幅の機器本体を有し、この機器本体の上面の長手方向に移動可能に取付けられた取付具を有し、この取付具の両端に設けられて前記機器本体の下端が前記下端水平片より上方に位置するように前記Ｔバーの上端に係止した一対の係止具を有し、前記係止具の少なくとも一方はつまみねじにより前記取付具に固定され、前記つまみねじを緩めてつまみねじを中心に回動することにより、前記取付具の前記一方の係止具が前記機器本体の幅方向の中心側に後退可能とした設備機器とを備えたものである。
【００１２】
請求項２記載の機器取付構造によれば、請求項１と同様な効果がある。
請求項３記載の機器取付構造は、請求項２において、前記Ｔバーが、前記横架材に高さ調整機構を介して懸架されているものである。
請求項３記載の機器取付構造によれば、請求項１と同様な効果のほか、在来天井の仕様がどのようなものであっても、Ｔバーを横架材に懸架することが可能となる。
【００１３】
【発明の実施の形態】
この発明の第１の実施の形態を図１ないし図３により説明する。すなわち、この機器取付構造は、チャンネル１と、Ｔバー２，３と、照明器具等の設備機器４と、取付具１４とを有する。
チャンネル１は、天井躯体（図示せず）より垂下したインサートボルト６に懸吊されている。実施の形態ではチャンネル１は一対のＣチャンネルであり、インサートボルト６に取付けられて懸吊されている。
【００１４】
一対のＴバー２，３は、チャンネル１にハンガ７を介して懸架されている。
設備機器４は、一対のＴバー２，３間に挿入され取付けられるもので、一対のＴバー２，３の下端水平片８からチャンネル１の下端までの高さＨ1 （図２（ａ））以下の高さＨ2 （Ｈ1 ＞Ｈ2 ）を有する。実施の形態の設備機器４は照明器具を適用している。９はその高さＨ2 を有する器具本体であり、略逆Ｕ字形をなして両側の下端部が外広がりに傾斜し、その下端部が外向きに折返えされている。また照明器具の下端の両側がＴバー２，３の下端水平片８の上側に位置するように、照明器具の最大幅である下端の幅寸法を、Ｔバー２，３の中心間隔よりも小さいが、下端水平片８の先端間隔よりも大きくしている。１０は器具本体９の裏面中央に配置された富士形反射板、１１は一対の直管ランプであり、ランプソケット（図示せず）に装着されている。１２は器具本体９の上面でＴバー２，３の長手方向に平行に形成された係止具ガイド用の一対のスリットであり、取付具１４がチャンネル１を避けることができる長さたとえば１００〜１２０ｍｍ程度の長さにしている。
【００１５】
取付具１４は、器具本体９の上面の長手方向に移動可能に取付けられて、両端が器具本体９の幅方向の中心側に後退可能に構成されるとともに、器具本体９の下端が下端水平片８より上方に位置するように両端がＴバー２，３の上端に係止している。実施の形態において、取付具１４が器具本体９の上面に載置され、取付具１４に設けたねじ１５をスリット１２に移動自在に挿通し、ねじ１５を器具本体９の内側に位置するナット手段（図示せず）に螺合してねじ１５をスリット１２から抜止めしている。ねじ１５を締めつけることにより取付具１４を器具本体９に固定し、ねじ１５を緩めることにより取付具１４をスリット１２に沿って移動して、取付具１４をチャンネル１から回避することができる。また取付具１４の両端は、蝶ねじを用いたつまみねじ１６により回動可能に一端を取付けた係止具５により構成している。取付具１４の両端にねじ孔を形成し、係止具５にねじ挿通孔を形成して、つまみねじ１６をねじ挿通孔を通してねじ孔に螺合することにより取付けている。図１の実線の状態がＴバー２，３の上端部に器具本体９から外方に突出した係止状態であり、その状態からつまみねじ１６を緩めてつまみねじ１６を中心に９０度回動した想像線の状態が器具本体９の幅方向の中心側に後退したＴバー２からの離脱状態であり、取付具１４の両端の係止具５が邪魔になることなくＴバー２，３を床側から容易に挿入できる。
【００１６】
この設備機器４の取付け施工は、図２の（ａ）に示すように一方の係止具５を係止可能な状態にし他方の係止具５を器具本体９上に後退して、器具本体９をＴバー２，３の間のたとえばチャンネル１の直下に床側から斜め姿勢で挿入し、係止具５がＴバー３の上端部に係止するとともに、器具本体９の一方の側部９ｂを下端水平片８の上方へ挿入する。つぎに同図（ｂ）に示すように器具本体９の他方の側部９ａをＴバー３の下端水平片８の上方に挿入し器具本体９を水平姿勢にし、他方の係止具５をねじ１６を中心に９０度回動してＴバー２の上端部に係止しねじ１６を締付ける。器具本体９をＴバー２，３の間に挿入する場合に取付具１４がチャンネル１の直下に位置するときはスリット１２に沿って取付具１４を移動してチャンネル１を避ける。なお、つまみねじ１６を固定した後、Ｔバー２，３の両外側の下端水平片８に天井材１３を載架する。１３ａは点検口用天井板である。
【００１７】
この実施の形態によれば、取付具１４の一端を器具本体９の幅方向の中心側に後退して、器具本体９をＴバー２，３の間に床側から挿入して取付具１４の他端をＴバー３の上端部に係止し、後退させた取付具１４の一端を器具本体９の外方に再度進出してＴバー２の上端部に係止することにより、取付具１４がＴバー２，３の邪魔にならずに、照明器具を一対のＴバー２，３に取付けることができ、しかも器具本体９の高さがＴバー２，３の下端水平片８からチャンネル１の下端までの高さよりも低く、しかも取付具１４を長手方向に移動可能にしているので、チャンネル１の下側であっても取付けることができ、従来のようにチャンネル１の間隔による制限を受けることがない。また改築の際に一般在来建築構造の９００ｍｍピッチのインサートボルト６を再利用することができるので、改築の際の工期の短縮や新規にインサートボルト６を打つことによる騒音対策が図れる。さらに照明器具の取付位置を任意に設定することができるので、チャンネル１を支持するインサートボルト６の取付ピッチを任意に設定しても、平行な一対のＴバー２，３の間に設定される照明器具のライン化が容易に確保できる。
【００１８】
この発明の第２の実施の形態を図４ないし図７に示す。すなわち、この設備機器４である照明器具は、第１の実施の形態において、取付具１４の係止具１７が取付具１４の両端部に水平軸１８により回動自在に取付けられ、係止具１７の外側部に傾斜ガイド１７ａを形成し、その下端に凹状の当たり部１７ｂを形成し、水平軸１８に巻き部を通したねじりコイルばねを用いたばね１９により係止具１７を外方に付勢し、取付具１７の所定の突出量をストッパ部（図示せず）で規制している。またこの実施の形態では器具本体９の上端部に安定器収容ボックス２０を器具本体９に移動自在に取付けている。すなわち器具本体９の略中央の長手方向に長さ１５０〜２００ｍｍ程度の一対のスリット２１を形成し、スリット２１に取付ねじ２２を摺動自在に抜止め状態に挿通している。具体的には、安定器収容ボックス２０およびスリット２１に取付ねじ２２を挿通しナット手段に締めつけたり、安定器収容ボックス２０にねじ孔を形成して取付ねじ２２を螺通しその先端をスリット２１に通してスリット２１の下側に貫通した取付ねじ２２の先端に抜止め片を設ける。この取付ねじ２２により安定器収容ボッスク２０を取付けている。これにより安定器収容ボックス２０もチャンネル１を回避することができ、器具本体９の上面に安定器収容ボックス２０を取付けることが可能となる。
【００１９】
この照明器具によれば、器具本体９を一対のＴバー２，３の間の床側から挿入すると、係止具１７の傾斜ガイド１７ａがＴバー２，３の側面に押圧されてばね１９に抗して後退し、上方に移動したとき復帰してＴバー２，３の上端部の上面および側面に当たり部１７ｂが係止する。したがって、第１の実施の形態と異なり天井板１３を挿着した後でも設備機器４の施工が行なえる。
【００２０】
その他、第１の実施の形態と共通する部分に同一符号を付しており、その構成および作用効果は第１の実施の形態と同様である。
この発明の第３の実施の形態を図８および図９により説明する。すなわち、この設備機器４である照明器具は、取付具１４の中心にねじ棒２５の上端部を溶着して垂下し、このねじ棒２５を通す器具本体９の短手（幅）方向のスリット１２を複数個、器具本体９の長手方向にたとえば５０〜６０ｍｍの間隔で形成し、スリット１２の１つを通ったねじ棒２５に蝶ナット２６を螺合して締付け固定している。係止具５ａ，５ｂは取付具１４の両端に一体に形成されるもので、Ｔバー２，３の上端部に係止する部分よりも先端側が下向きに垂下し、さらにその先端を上向きに折り返して、Ｔバー２，３の上端部の頭部の下の首部に係止可能にしている。また、器具本体９の短手方向に形成されたスリット１２は、器具本体９の長手方向に複数開いており、ねじ棒２５を挿入するスリット１２を代えることにより、チャンネル１に対して取付具１４の回避を行なう。
【００２１】
図９は設備機器の装着手順を示す。図９（ａ）は、器具本体９の一側をＴバー２，３の間に挿入する方向に取付具１４の係止具５ａをスリット１２に沿って片寄せする。このとき係止具５ｂが器具本体９の幅方向の中心側に後退する。係止具５ａをＴバー３の上端部に係止し、その後器具本体９を、向い合った一対のＴバー２，３の間に納める。納まった後、係止具５ｂをＴバー２の上端部に係止し蝶ナット２６を締付け、器具本体９がＴバー２，３の下端水平片８から浮いた状態に保持する。
【００２２】
最後に、Ｖ字形カバーまたは富士形反射板１０と蛍光ランプ１１を装着して終了する。
この発明の第４の実施の形態を図１０および図１１により説明する。すなわち、この機器取付構造は、在来天井に適用したもので、第１の実施の形態において、チャンネル１に高さ調整機構３０を介してＴバー２，３を懸架している。この高さ調整機構３０は平板を逆Ｕ字形に折曲し、かつ各片が逆Ｕ字形をなすようにほぼ中央部分に切欠３０ａを形成し、かつ両端の下端部を内向きに折返した係止片３２を形成し、上端部の中央にねじ孔３３を形成した懸吊金具３１と、ねじ孔３３に先端が螺通された蝶ねじ３４とからなっている。一対の懸吊金具３１の切欠３０ａをチャンネル１に掛け、各懸吊金具３１の下端部をＴバー２，３の上端部にまたぎ、係止片３２をＴバー２，３の頭部の下の首部に係止し、蝶ねじ３４の先端をチャンネル１の上端部に当てて、Ｔバー２，３をチャンネル１に懸吊している。蝶ねじ３４を回わして蝶ねじ３４のねじ込み量を調整するとチャンネル１とＴバー２，３との間隔を調整することができる。この場合、Ｔバー２，３の下端傾斜片８ａに天井材１３が係載し、天井材１３に所定のＭバー３５が載置され、Ｍバー３５がチャンネル１の下面に密着するまで押し上げられて、Ｔバー２，３の下端傾斜片８ａとチャンネル１の下面との間隔である全高Ｈａが決まる。
【００２３】
その他は第１の実施の形態と同様であり、設備機器４はＴバー２，３の間に取付けられる。
第１の実施の形態のような器具取付構造を在来天井により適用する場合、在来天井特有の問題が発生する。すなわち、在来天井はチャンネル１に装着されるＭバー３５の高さが数種あり、また天井材１３も１枚貼りもしくは２枚貼りとするため、全高Ｈａは相当変化する。そこで、全高Ｈａの変化に対応するため、チャンネル１とＴバー２，３の下端傾斜片８ａの高さを可変とする必要がある。このため、チャンネル１とＴバー２，３とを締結するハンガに頭部を蝶ねじ３４とした長ねじ機構を用いた高さ調整機構３０を付加すると、その蝶ねじ３４のねじ締めできる範囲が全高Ｈａの最大値と最小値の差の値以上の長さであれば、全高Ｈａの最大から最小の全て天井に対して下端傾斜片８ａと蝶ねじ３４の下端の間に天井材１３およびＭバー３５を締結固定できる。全高Ｈａが最小となるのはチャンネル１とＴバー２，３の上端部とが接触し、かつ天井材１３が１枚で最小の厚みを有し、またＭバー３５が最小の高さの場合である。
【００２４】
この発明の第５の実施の形態を図１２により説明する。すなわち、この機器取付構造は、第４の実施の形態において、Ｍバー３５の高さが大きく、また天井材１３を２枚にし、かつ締結固定の強度を増すためにチャンネル１の下面とＴバー２，３の上端部の間に底辺と斜辺を向けた三角形状の楔形スペーサ３６を挿入している。チャンネル１の下面とＴバー２，３の下端傾斜片８ａとの間の間隔はＭバー３５の高さが高いこと、天井材１３が複数枚であることにより全高Ｈｂを最大値またはその値に近くなる。
【００２５】
したがって、この実施の形態も、在来天井の高さの最小値たとえばＨａから最大値たとえばＨｂの違いに対して、楔形スペーサ３６を移動することにより、または楔形スペーサ３６を外すことにより全ての在来天井に対応することができる。
なお、実施の形態では、取付具１４の両端の係止具５が後退可能に構成されたが、一方の係止具５のみが後退可能に構成されたものでもよい。
【００２６】
【発明の効果】
請求項１記載の照明器具によれば、取付具の一端を器具本体の幅方向の中心側に後退して、器具本体をＴバーの間に床側から挿入して取付具の他端をＴバーの上端部に係止し、後退させた取付具の一端を器具本体の外方に再度進出してＴバーの上端部に係止することにより、取付具がＴバーの邪魔にならずに、照明器具を一対のＴバー間に取付けることができ、しかも器具本体の高さがＴバーの下端水平片から横架材の下端までの高さよりも低く、しかも取付具を長手方向に移動可能にしているので、横架材の下側であっても取付けることができ、従来のように横架材の間隔による制限を受けることがない。また改築の際に一般在来建築構造の９００ｍｍピッチのインサートボルトを再利用することができるので、改築の際の工期の短縮や新規にインサートボルトを打つことによる騒音対策が図れる。さらに照明器具の取付位置を任意に設定することができるので、横架材を支持するインサートボルトの取付ピッチを任意に設定しても、平行な一対のＴバーの間に設定される照明器具のライン化が容易に確保できる。
【００２７】
請求項２記載の機器取付構造によれば、請求項１と同様な効果がある。
請求項３記載の機器取付構造によれば、請求項１と同様な効果のほか、在来天井の仕様がどのようなものであっても、Ｔバーを横架材に懸架することが可能となる。
【図面の簡単な説明】
【図１】この発明の第１の実施の形態の部分斜視図である。
【図２】設備機器の施工手順を説明する説明図である。
【図３】システム天井の部分斜視図である。
【図４】第２の実施の形態の部分断面図である。
【図５】その係止具の部分拡大図である。
【図６】設備機器の施工状態の部分斜視図である。
【図７】その安定器の取付状態を示す部分斜視図である。
【図８】第２の実施の形態の部分斜視図である。
【図９】その設備機器の施工状態を説明する断面図である。
【図１０】第３の実施の形態の部分斜視図である。
【図１１】その高さ調整機構を示し、（ａ）はその正面図、（ｂ）は使用状態の断面図である。
【図１２】第４の実施の形態の高さ調整機構を示し、（ａ）はその正面図、（ｂ）は使用状態の断面図である。
【図１３】従来例のシステム天井の設備機器の施工状態の部分斜視図である。
【図１４】その断面図である。
【図１５】従来例の既存天井の設備機器の施工状態の断面図である。
【符号の説明】
１    チャンネル
２，３    Ｔバー
４    設備機器
５    係止具
５ａ，５ｂ    係止具
６    インサートボルト
８    下端水平片
８ａ    下端傾斜片
９    器具本体
１２    スリット
１４    取付具
３０    高さ調整機構
【図１】
0003812034.tif 000002
【図２】
0003812034.tif 000003
【図３】
0003812034.tif 000004
【図４】
0003812034.tif 000005
【図５】
0003812034.tif 000006
【図６】
0003812034.tif 000007
【図７】
0003812034.tif 000008
【図８】
0003812034.tif 000009
【図９】
0003812034.tif 000010
【図１０】
0003812034.tif 000011
【図１１】
0003812034.tif 000012
【図１２】
0003812034.tif 000013
【図１３】
0003812034.tif 000014
【図１４】
0003812034.tif 000015
【図１５】
0003812034.tif 000016